(57)【特許請求の範囲】
【請求項１】
化学合成繊維＋天然繊維の合成繊維でなる坪量２５ｇ／ｍ２〜１２０ｇ／ｍ２の吸水性を有する不織布からなるシート材を手袋状に成形してスキンケア化粧品を含浸するとともに、その外面に厚さ９μｍ〜５０μｍの範囲にある液密性で疎水性を有する合成樹脂フィルムからなるカバーシートを被覆して形成したことを特徴とするスキンケア化粧品を含浸したスキンケア用品。
【請求項２】
シート材を、肘にまで達する延長部を有する手袋状に成形した請求項１記載のスキンケア化粧品を含浸したスキンケア用品。
【請求項３】
シート材を、指先のみをカバーする形状に成形した請求項１記載のスキンケア化粧品を含浸したスキンケア用品。
【発明の詳細な説明】
【０００１】
【発明の属する技術分野】
本発明はスキンケア化粧品を不織布シートに含浸して使用するスキンケア用品に関し、特には該不織布シートを手袋状の手にそのまま装着して用いることができる形状としたことによって美容作用を持たせたスキンケア化粧品を含浸したスキンケア用品に関するものである。
【０００２】
【従来の技術】
従来からスキンケア化粧品を人間の手に浸透させるには、手操作によってこれらのスキンケア化粧品を手に擦り込み、該スキンケア化粧品の蒸発防止とスキンケア化粧品が服，ふとんその他の日用品に付着することを防止するため、手袋を装着して浸透効果を高める方法が一般に用いられている。
【０００３】
他方で特許文献１には、化粧料塗布用具を不織布又は織布を用いて手の少なくとも一部に嵌めることができる筒状又は袋状に形成したことにより、手，腕，足等の身体の肌に化粧料等を一拭きで塗り広げられる化粧料塗布用具が開示されている。
【０００４】
【特許文献１】
特開２０００−３５４５１５号公報
【０００５】
【発明が解決しようとする課題】
従来のスキンケア化粧品を手に浸透させる方法は、前記したように手操作によってスキンケア化粧品を手に擦り込んでから手袋を装着するという煩瑣な操作が必要になるという課題がある。
【０００６】
一方、前記特許文献１に記載された化粧料塗布用具は筒状又は袋状に形成されているため、手の指間等の部位に化粧料を浸透させることができないので、十分な美容効果が得られないという課題がある。
【０００７】
そこで本発明は上記の問題点を解決して、手操作によってスキンケア化粧品を手に擦り込む等の煩瑣な操作を不要にするとともに、手の指間等の部位にまでスキンケア化粧品を浸透させて美容効果を持たせることができるスキンケア化粧品を含浸したスキンケア用品を提供することを目的とするものである。
【０００８】
【課題を解決するための手段】
本発明は上記目的を達成するために、化学合成繊維＋天然繊維の合成繊維でなる坪量２５ｇ／ｍ２〜１２０ｇ／ｍ２の吸水性を有する不織布からなるシート材を手袋状に成形してスキンケア化粧品を含浸するとともに、その外面に厚さ９μｍ〜５０μｍの範囲にある液密性で疎水性を有する合成樹脂フィルムからなるカバーシートを被覆して形成したスキンケア化粧品を含浸したスキンケア用品を提供する。
【０００９】
本発明の他の実施形態として、シート材を、肘にまで達する延長部を有する手袋状に成形した構成、シート材を、指先のみをカバーする形状に成形した構成を提供する。
【００１０】
かかるスキンケア化粧品を含浸したスキンケア用品によれば、シート材を用いて手袋状に成形した吸水性シートを使用者の手に嵌めて密着させると、該吸水性シートに含浸されているスキンケア化粧品が手のひらとか甲、指間の部位及び吸水性シートに延長部を形成した場合には下腕部と肘に効率よく浸透し、美容作用を持たせることができる。外面のカバーシートはスキンケア化粧品の蒸発を防止するとともに吸水性シートの密着性を高め、使用時にスキンケア化粧品が服，ふとんその他の日用品に付着することを防止するという作用が得られる。
【００１１】
【発明の実施の形態】
以下図面に基づいて本発明にかかるスキンケア化粧品を含浸したスキンケア用品の各種実施形態を説明する。本発明では化学合成繊維＋天然繊維の合成繊維でなる坪量２５ｇ／ｍ２〜１２０ｇ／ｍ２の吸水性を有する不織布からなるシート材を手袋状に成形してスキンケア化粧品を含浸するとともに、その外面に厚さ９μｍ〜５０μｍの範囲にある液密性で疎水性を有する合成樹脂フィルムからなるカバーシートを被覆して形成したスキンケア化粧品を含浸したスキンケア用品を基本手段としている。
【００１２】
図１は本発明によるスキンケア用品の第１実施例を示す平面図、図２は図１のＣ−Ｃ線に沿う断面図であり、図中の１は吸水性シートであり、この吸水性シート１には予めスキンケア化粧品３が含浸されている。
【００１３】
２は吸水性シート１の外面を被覆・張り合わせにより形成したカバーシートであり、このカバーシート２はポリエチレンフィルム等の液密性で疎水性を有する合成樹脂材料を用いて構成されている。吸水性シート１の材料としては、化学合成繊維＋天然繊維の合成繊維が使用可能である。
【００１４】
具体的には、手袋状の吸水性シート１は坪量２５ｇ／ｍ２〜１２０ｇ／ｍ２の不織布で構成され、カバーシート２の厚さは９μｍ〜５０μｍの範囲にある合成樹脂フィルムが用いられる。寸法例として、幅方向の寸法Ａは約２００ｍｍ，縦方向の寸法Ｂは約２３０ｍｍとし、吸水性シート１にはスキンケア化粧品を１ｃｃ〜１００ｃｃ含浸してある。
【００１５】
かかる第１実施例によれば、シート材を手袋状に成形した吸水性シート１を使用者の手に嵌めて密着させることにより、該吸水性シート１に含浸されているスキンケア化粧品３が手のひらとか甲以外に指間の部位にも効率よく浸透し、美容作用を持たせることができる。外面のカバーシート２はスキンケア化粧品３の蒸発を防止するとともに手に対する吸水性シート１の密着性を高め、しかも使用時にスキンケア化粧品３が服，ふとんその他の日用品に付着することを防止する作用が得られる。
【００１６】
図３は本発明の第２実施例を示しており、第１実施例におけるシート材を手袋状に成形した吸水性シート１に使用者の肘にまで達する延長部１ａを形成するとともに、該吸水性シート１の外面を被覆・張り合わせにより形成したカバーシート２にも同様な延長部２ａを形成してある。第１実施例と同様に吸水性シート１とその延長部１ａには予めスキンケア化粧品３（図２参照）が含浸されている。
【００１７】
かかる第２実施例によれば、吸水性シート１を使用者の手に嵌めた際に延長部１ａが使用者の肘に達するので、該吸水性シート１に含浸されているスキンケア化粧品３が手のひらとか甲，指間のみならず下腕部と肘にも効率よく浸透し、手とともに下腕部，肘の美容作用を持たせることができる。外面のカバーシート２はスキンケア化粧品３の蒸発を防止するとともに手と下腕部への吸水性シート１の密着性を高め、使用時にスキンケア化粧品３が日用品に付着することを防止する作用がある。尚、前記吸水性シート１の延長部１ａとカバーシート２の延長部２ａに使用者の脇にまで達する長い延長部を形成することにより、上腕部への美容作用を持たせることができる。
【００１８】
図４は本発明の第３実施例を示しており、本例ではシート材を成形して得た吸水性シート１を第１実施例と同様に手袋状に成形し、該吸水性シート１の外面を被覆・張り合わせにより形成したカバーシート２を使用者の手の指先４本のみカバーする形状にしてある。吸水性シート１には予めスキンケア化粧品３が含浸されている。
【００１９】
かかる第３実施例によれば、吸水性シート１を使用者の手に嵌めて密着させることにより、スキンケア化粧品３が指先全体に効率よく浸透して美容作用を持たせ、カバーシート２がスキンケア化粧品３の蒸発を防止するとともに使用時にスキンケア化粧品３が日用品に付着することを防止する作用が得られる。
【００２０】
【発明の効果】
以上詳細に説明したように、本発明にかかるスキンケア用品によれば、手袋状に成形した吸水性シートを使用者の手に嵌めて密着させることにより、吸水性シートに含浸されているスキンケア化粧品を効率よく浸透させることができるので、スキンケア化粧品の種類を変えることによって手の美容作用を持たせることができる。特に使用時の操作は簡単であって、従来のように手操作によってスキンケア化粧品を手に擦り込んでから手袋を装着するという煩瑣な操作は不要となる。
【００２１】
更にシート材の外面に液密性で疎水性を有するカバーシートを被覆・張り合わせにより形成したことにより、このカバーシートがスキンケア化粧品の蒸発を防止するとともに吸水性シートの密着性を高め、使用時にはスキンケア化粧品が服，ふとんその他の日用品に付着することを防止する効果が得られる。
【００２２】
従って本発明によればスキンケア化粧品を手に擦り込む等の煩瑣な操作を不要とし、手の指間等の部位にまでスキンケア化粧品を浸透させて美容効果を持たせたスキンケア用品を提供することができる。
【図面の簡単な説明】
【図１】  本発明によるスキンケア用品の第１実施例を示す平面図。
【図２】  図１のＣ−Ｃ線に沿う断面図。
【図３】  本発明の第２実施例を示す平面図。
【図４】  本発明の第３実施例を示す平面図。
【符号の説明】
１…吸水性シート
２…カバーシート
１ａ，２ａ…延長部
３…スキンケア化粧品
【図１】
0004532836.tif 000002
【図２】
0004532836.tif 000003
【図３】
0004532836.tif 000004
【図４】
0004532836.tif 000005